(57)【要約】  特定的な実施形態は、一般的に、複数のデバイス上に位置するメディアコンテンツをユーザが見ることを可能にする単一ライブラリの使用に関する。一実施形態では、インタフェースは、多数のデバイス上に記憶されたコンテンツをユーザが見ることを可能にする。複数のデバイス上に記憶された複数のコンテンツに対する情報を受信することができる。情報は、ライブラリに記憶されたメタデータとすることができる。情報は、様々なコンテンツを示すインタフェースを表示するのに使用することができる。インタフェースに表示される情報は、コンテンツをデバイス上のどこに記憶することができるかに関して不可知である。例えば、コンテンツの位置を考慮しない方法でユーザがコンテンツを見ることを可能にする統合インタフェースを提供する。一実施例では、ユーザは、単一リストで複数のデバイス上に見出される全ての写真を見ることができる。【選択図】図１
2012521055.tif 000002
【特許請求の範囲】
【請求項１】
インタフェースを提供する方法であって、
複数のデバイス上に記憶されたコンテンツに対するメタデータを受信する段階と、
前記複数のデバイス上に物理的に記憶された前記複数のコンテンツに対する前記メタデータをライブラリに記憶する段階と、
前記メタデータに対するコンテンツが記憶された前記デバイスによって提供されたデバイス及びサービスに関して不可知であるインタフェースに該コンテンツのリストを作成するために使用される該メタデータを表示に利用するためにデバイスに提供する段階と、
前記コンテンツの前記作成されたリストを前記デバイスのインタフェース上に表示する段階と、
を含むことを特徴とする方法。
【請求項２】
前記メタデータは、前記複数のデバイスにおけるデバイスが、電源が切られ、かつ該メタデータに対する前記コンテンツを記憶している時に、前記インタフェースに提供されることを特徴とする請求項１に記載の方法。
【請求項３】
前記コンテンツの少なくとも一部は、前記複数のデバイス上に記憶され、前記リストを表示する前記デバイス上ではないことを特徴とする請求項１に記載の方法。
【請求項４】
受信する段階は、前記メタデータを判断するために前記複数のデバイスの少なくとも１つとメッセージを通信することによって該複数のデバイスから前記コンテンツに対する該メタデータを発見する段階を含むことを特徴とする請求項１に記載の方法。
【請求項５】
前記複数のデバイスのうちの少なくとも２つに記憶されたコンテンツから前記メタデータの一部分を表示する入力を受信する段階と、
前記コンテンツがどこに記憶されたかに関わらず該コンテンツの前記リストを表示する段階と、
を更に含むことを特徴とする請求項１に記載の方法。
【請求項６】
前記コンテンツのタイプに基づいて該コンテンツの前記メタデータに基づく前記リストを表示する段階を更に含むことを特徴とする請求項１に記載の方法。
【請求項７】
前記インタフェースを表示するのに使用されるデバイスが、前記コンテンツのリストにおける該コンテンツの一部分を出力するように構成されないことを特徴とする請求項１に記載の方法。
【請求項８】
インタフェースを表示する方法であって、
複数のデバイス上に記憶されたコンテンツのリストを表示する入力を受信する段階と、
デバイスにおいて前記コンテンツに対するメタデータを該メタデータを記憶しているライブラリから受信する段階と、
前記コンテンツの前記リストを表示するための表示情報を判断する段階と、
前記表示情報を使用して前記コンテンツのリストを表示する段階と、
を含み、
前記コンテンツの前記リストの前記表示は、前記メタデータに対するコンテンツが記憶されている前記デバイスによって提供されたデバイス及びサービスに関して不可知である、
ことを特徴とする方法。
【請求項９】
前記リストは、前記デバイス上に表示され、このデバイスは、前記コンテンツの少なくとも一部分を記憶している前記デバイスの１つとは異なることを特徴とする請求項９に記載の方法。
【請求項１０】
表示情報を判断する段階は、前記コンテンツに対するタイプを判断する段階を含み、
表示する段階は、前記コンテンツの前記タイプに基づいて該コンテンツの前記リストを表示する段階を含む、
ことを特徴とする請求項９に記載の方法。
【請求項１１】
前記インタフェースを表示するのに使用される前記デバイスは、前記コンテンツのリストにおける該コンテンツの１つ又はそれよりも多くを出力するように構成されないことを特徴とする請求項９に記載の方法。
【請求項１２】
１つ又はそれよりも多くのプロセッサと、
前記１つ又はそれよりも多くのプロセッサによって実行するための１つ又はそれよりも多くのコンピュータ可読媒体に符号化され、かつ実行された時に、
複数のデバイス上に記憶されたコンテンツに対するメタデータを受信し、
前記複数のデバイス上に物理的に記憶された前記複数のコンテンツに対する前記メタデータをライブラリに記憶し、
前記メタデータに対するコンテンツが記憶された前記デバイスによって提供されたデバイス及びサービスに関して不可知であるインタフェースに該コンテンツのリストを作成するために使用される該メタデータを表示に利用するためにデバイスに提供し、かつ
前記コンテンツの前記作成されたリストを前記デバイスのインタフェース上に表示する、
ように作動する論理と、
を含むことを特徴とする装置。
【請求項１３】
前記メタデータは、前記複数のデバイスにおけるデバイスが、電源が切られ、かつ該メタデータに対する前記コンテンツを記憶している時に、前記インタフェースに提供されることを特徴とする請求項１２に記載の装置。
【請求項１４】
前記コンテンツの少なくとも一部は、前記複数のデバイス上に記憶され、前記リストを表示する前記デバイス上ではないことを特徴とする請求項１２に記載の装置。
【請求項１５】
前記論理は、実行された時に、前記メタデータを判断するために前記複数のデバイスの少なくとも１つとメッセージを通信することによって該複数のデバイスから前記コンテンツに対する該メタデータを発見するように更に作動可能であることを特徴とする請求項１２に記載の装置。
【請求項１６】
前記論理は、実行された時に、
前記複数のデバイスのうちの少なくとも２つに記憶されたコンテンツから前記メタデータの一部分を表示する入力を受信し、かつ
前記コンテンツがどこに記憶されているかに関わらず該コンテンツの前記リストを表示する、
ように更に作動可能である、
ことを特徴とする請求項１５に記載の装置。
【請求項１７】
前記論理は、実行された時に、前記コンテンツのタイプに基づいて、該コンテンツの前記メタデータに基づく前記リストを表示するように更に作動可能であることを特徴とする請求項１２に記載の装置。
【請求項１８】
前記インタフェースを表示するのに使用されるデバイスは、前記コンテンツのリストにおける該コンテンツの一部分を出力するように構成されないことを特徴とする請求項１２に記載の装置。
【発明の詳細な説明】
【技術分野】
【０００１】
〔関連出願への相互参照〕
本出願は、すべての目的に対してあたかも本出願に全てが示されている如くここに引用により組み込まれる２００９年３月１８日出願の「全てのメディアコンテンツに対する単一ライブラリ（Ｓｉｎｇ１ｅ  Ｌｉｂｒａｒｙ  ｆｏｒ  ａ１１  Ｍｅｄｉａ  Ｃｏｎｔｅｎｔ）」という名称の米国特許出願出願番号第１２／４０６，９１１号明細書からの優先権を請求する。
【０００２】
特定的な実施形態は、一般的に、メディアデバイスのためのユーザインタフェースに関する。
【背景技術】
【０００３】
現在、ユーザのメディアライブラリは、多くの異なるデバイス及びサービスにわたって配信されている。殆どのユーザは、現在、メディアコンテンツを記憶し、かつメディアコンテンツを提供する２つ又はそれよりも多くのサービスにアクセスする多数のデバイスを所有する。例えば、ユーザは、パーソナルコンピュータ、携帯電話、Ｍｐ３プレーヤ、ＤＶＲ、ゲーム機、ＴＶ、及び他の消費者電子デバイスを所有することができ、それらの全ては、独特なメディアコンテンツを記憶することができる。更に、ユーザはまた、特定デバイス上に物理的に位置するコンテンツだけでなく、ネットワークサービス又はインターネットサイト上のコンテンツにもアクセスすることができる。これは、ユーザが、多くの異なるデバイス及びサービスに跨がって断片化したライブラリを有するという状況を作り出す。
【発明の概要】
【発明が解決しようとする課題】
【０００４】
この断片化のために、ユーザは、コンテンツが物理的にどこに位置するかに関わらず、彼らに利用可能なコンテンツを彼らに表示する単一のインタフェースを有することができない。ユーザが特定コンテンツを発見又はそれにアクセスしたい時に、ユーザは、現在、利用可能なコンテンツを判断するために特定デバイス又はサービスに行かなければならない。一部の例では、ユーザは、彼らの全てのコンテンツを単一のストレージデバイスに移動することができるが、コンテンツの移動は、面倒で非実用的な使いにくいタスクである。
【課題を解決するための手段】
【０００５】
特定的な実施形態は、一般的に、複数のデバイス上に位置するメディアコンテンツをユーザが見ることを可能にする単一ライブラリの使用に関する。一実施形態では、インタフェースは、ユーザが多数のデバイス上に記憶された単一の集合でコンテンツを見ることを可能にする。複数のデバイス又はサービス上に記憶された複数のコンテンツに対する情報、例えば、メタデータを受信することができる。例えば、様々な消費者デバイスは、メディアコンテンツの異なる部分を記憶することができる。複数のデバイス及びサービス上に記憶されるこのコンテンツを説明するメタデータは、単一ライブラリに収容することができる。
【０００６】
この情報は、様々なコンテンツを示すインタフェースを表示するのに使用することができる。インタフェースに表示された情報は、そのコンテンツをデバイス上のどこに記憶することができるかに不可知である。例えば、コンテンツの物理的な位置には構わないでユーザがコンテンツを見ることを可能にする統合インタフェースが提供される。例えば、ユーザは、単一インタフェースにおいて複数のデバイス上に見出される全ての個人的な写真を見て管理することができる。ユーザは、彼らの写真の集合全体を通してあたかもそれらが異なるデバイス及びサービス上の多数の集合ではなく「単一集合」であるかのように閲覧かつ検索することができる。
【０００７】
コンテンツが物理的にどこに位置するかに関わらずユーザに利用可能なコンテンツに関する情報（メタデータ）を収容する単一メディアライブラリを提供することにより、デバイスは、より良くかつより多くの感動的なユーザ体験を作り出すことができる。このユーザ体験は、より良いものであり、その理由は、それが、ユーザに彼らのコンテンツライブラリ全体を迅速かつ効率的に閲覧又は検索する能力を可能にするからである。
【０００８】
本明細書の残りの部分及び添付図面の参照により、本明細書に開示する特定的な実施形態の特質及び利点の更なる理解を達成することができる。
【図面の簡単な説明】
【０００９】
【図１Ａ】一実施形態によるシステムの例を示す図である。
【図１Ｂ】一実施形態による別のシステムを示す図である。
【図２】一実施形態によるライブラリ内のメタデータの記憶の例を示す図である。
【図３】一実施形態によりデバイス１０４内にライブラリ１１０が構築されたシステム１００の例を示す図である。
【図４】一実施形態によるインタフェースの例を示す図である。
【図５】一実施形態によりメタデータを集めるための簡略化した流れ図である。
【図６】一実施形態によりインタフェースの表示を提供するための簡略化した流れ図である。
【発明を実施するための形態】
【００１０】
図１Ａは、一実施形態によるシステム１００の例を示している。多数のデバイス１０４が設けられている。あらゆる数のこれらのデバイスを設けることができることは認識されるであろう。また、無線ルータ、ネットワークなどのようなシステム１００の他の構成要素も考えることができるが、それらは説明していない。
【００１１】
デバイス１０４は、消費者電子デバイスのようなあらゆるデバイスとすることができる。デバイス１０４の例は、携帯電話、Ｍｐ３プレーヤ、パーソナルコンピュータ、ゲーム機、ＤＶＲを有するセットトップボックス、及びメディアコンテンツを記憶し、又はネットワークサービス上のメディアコンテンツにアクセスすることができる他のデバイスを含む。各デバイスは、ＬＣＤスクリーンのようなそれ独自の独特な表示機能を有し、又はコンピュータモニタ又はテレビ受像機などのような別のタイプのディスプレイを利用することができる。
【００１２】
メディアコンテンツは、デバイス１０４上に記憶されたあらゆる情報とすることができる。例えば、異なるコンテンツを異なるデバイス上に記憶することができる。コンテンツは、コンテンツを記憶するファイルのようなコンテンツのあらゆる個別の単位とすることができる。例えば、コンテンツは、楽曲、テレビ番組、写真、又は画像などとすることができる。
【００１３】
各デバイス上のライブラリ１１０は、デバイス１０４上に記憶されたコンテンツに関連付けられたメタデータのためのストレージとすることができる。メタデータは、デバイス１０４上に記憶されたコンテンツを説明する情報を含む。メタデータは、統合インタフェース１０８をデバイスのディスプレイ上に表示することができるようにライブラリ１１０内で集約される。
【００１４】
統合インタフェース１０８は、異なるデバイス１０４上に記憶されたコンテンツに対する情報を表示する。コンテンツは、あらゆるフォーマットとすることができるリストで表示することができる。リストは、コンテンツがどこに記憶されているかなどのコンテンツに対するタイトルを表示することができる。インタフェースは、コンテンツがどこに記憶されたかに関して不可知とすることができる。例えば、インタフェースは、インタフェースを表示する時に位置を考慮しないで全てのデバイス１０４にわたってコンテンツを示す。例えば、インタフェース１０８は、コンテンツがどこに記憶されたかを透明にする。インタフェース１０８は、あらゆるデバイス１０４上で見出すことができる。
【００１５】
従って、コンテンツが異なるデバイス１０４の間で配信される場合、コンテンツに対するメタデータは、ライブラリ１１０に記憶することができる。ライブラリ１１０へのアクセスを有するデバイスは、次に、コンテンツの説明をデバイスのインタフェース１０８上に表示させることができる。ユーザは、ユーザによって撮影された全ての写真をユーザが見ることができるようなコンテンツのビューを選択することができる。写真は、それらがどのデバイス１０４上に記憶されたかに関わらず、インタフェース１０８上に表示することができる。従って、各デバイス及び各デバイスがどの写真を記憶するかを別々に示すスクリーンを見るのではなく、インタフェース１０８は、それらがどこに記憶されたかに関係なく全ての写真を表示する単一ディスプレイを示すことができる。
【００１６】
図１Ｂは、一実施形態による別のシステム１００を示している。デバイス１０４は、多数のコンテンツへのアクセスを有することができる。例えば、デバイス１０４−１は、写真、音楽、及びビデオの形式のコンテンツ１１２を記憶する。コンテンツ１１２は、デバイス１０４内にローカルに記憶することができる。また、コンテンツ１１４は、ネットワーク１１６を通じてアクセス可能なコンテンツとすることができる。例えば、デバイス１０４−１は、ネットワーク１１６を通じて写真、音楽、及びビデオにアクセスすることができる。ネットワーク１１６は、異なるデバイスに対して同じか又は異なるネットワークとすることができる。例えば、パーソナルコンピュータは、「インターネット」を通じてコンテンツにアクセスすることができ、携帯電話は、無線ネットワークを通じてコンテンツにアクセスすることができる。
【００１７】
図２は、一実施形態によりライブラリ１１０にメタデータを記憶する例を示している。図示のように、異なるタイプのコンテンツをデバイス１０４上に記憶することができる。例えば、携帯電話１０４−２は、音楽及び写真のコンテンツを含む。パーソナルコンピュータ１０４−１は、写真、テレビ番組、及び音楽からのコンテンツを含み、セットトップボックス１０４−６は、テレビジョンコンテンツを含む。
【００１８】
ライブラリ１１０を有するデバイス１０４−５は、デバイス１０４上に記憶されたコンテンツに対するメタデータを発見するように構成されたコンテンツ発見器２０２を含むことができる。このデバイスは、この例ではゲーム機とすることができるが、あらゆる数の又は全てのデバイス１０４がライブラリ１１０を有することができることは理解されるであろう。メタデータは、コンテンツを説明することができる。例えば、メタデータは、コンテンツのタイプに関する情報を説明することができる。また、メタデータは、コンテンツがどこに記憶されたかを含むことができる。他の情報もメタデータに含めることができる。メタデータは、コンテンツをそれがライブラリ１１０に記憶される時に分類するのに使用することができる。例えば、メタデータは、迅速な検索を考慮するようにライブラリ１１０内で索引付けすることができる。
【００１９】
一例では、メタデータは、デバイス毎に記憶することができない場合がある。逆に、メタデータは、互いに集約されてある一定の次元に基づいて記憶される。例えば、次元は、それと関連付けられたコンテンツのタイプ、又はコンテンツを分類する他のあらゆる方法とすることができる。一例では、ユーザによって撮影された全ての写真に対するメタデータは、互いに索引付けされる。
【００２０】
図３は、一実施形態によりデバイス１０４内にライブラリ１１０が構築されたシステム１００の例を示している。全てのデバイス１０４は、メタデータのライブラリ１１０（例えば、ライブラリ１１０−１から１１０−５）を含む。メタデータは、各デバイスにメタデータをデバイスに転送させることによって配信されている場合がある。例えば、ゲーム機は、他のデバイスの各々からメッセージを受信する。また、パーソナルコンピュータは、同じ方法で他のデバイスの各々からメッセージを受信することができる。
【００２１】
別の例では、ライブラリ１１０がデバイスによって構築されていた場合、構築されたライブラリは、転送することができる。例えば、ライブラリ１１０−３は、デバイス１０４−２に転送することができる。ライブラリ１１０−３が最新である場合、デバイス１０４−２は、他のデバイスとメッセージを通信してライブラリ１１０を構築する必要がない。
【００２２】
図４は、一実施形態によるインタフェース１０８の例を示している。図２に示すように、デバイス１０４上に記憶されたコンテンツは、インタフェース１０８に表示される。サムネイル、テキスト、又は他の識別情報のようなコンテンツに対する情報を表示するのに使用されるメタデータを表示することができる。情報は、音楽、テレビジョン、及び写真のようなコンテンツのタイプに基づいて分類され、かつ互いにグループ分けすることができる。図示のように、コンテンツＡとコンテンツＥは、音楽タイプの下でグループ化され、コンテンツＤとコンテンツＦは、テレビジョンタイプの下でグループ化され、写真ＢとＣは、写真タイプの下でグループ化される。
【００２３】
インタフェース１０８に示すように、コンテンツは、それらがどこに記憶されたかに関係なく表示することができる。例えば、ユーザは、単に、ユーザがアクセスすることができる音楽がコンテンツＡとＥであることを見る。すなわち、コンテンツＡが携帯電話１０４−１上に記憶されており、かつコンテンツＥがパーソナルコンピュータ１０４−２上に記憶されていることがユーザに対して透明である。パーソナルコンピュータ１０４−２及びセットトップボックス１０４−４上にそれぞれ記憶されたコンテンツＤとＦの場合も同じことが当て嵌まる。また、コンテンツＢとＣは、携帯電話１０４−１及びパーソナルコンピュータ１０４−２上に記憶される。
【００２４】
図５は、一実施形態によりメタデータを集めるための簡略化した流れ図である。段階５０２は、デバイス１０４のためのコンテンツを発見する。例えば、発見は、あらゆる発見プロトコルを使用して実施することができる。一例では、デバイス１０４は、コンテンツの変化を検出し、かつメタデータを他のデバイス１０４に送信することができる。また、デバイスは、デバイス１０４をポーリングし、デバイス１０４上に記憶されたコンテンツのあらゆる変更を判断することができる。
【００２５】
段階５０４は、コンテンツに対するメタデータを受信する。メタデータは、無線ネットワークのようなネットワーク、有線接続、又は単一ライブラリ１０２を有するデバイスへの他のあらゆる接続を通して受信することができる。
【００２６】
段階５０６は、ライブラリ１１０にメタデータを記憶する。段階５０８は、次に、メタデータを編成する。例えば、メタデータは、検索を考慮してライブラリ１１０内で分類することができる。メタデータは、次に、メタデータの推薦又は他のビューを提供するために検索することができる。
【００２７】
図６は、一実施形態によりインタフェース１０８の表示を提供するための簡略化した流れ図である。段階６０２は、インタフェース１０８を表示するための入力を受信する。例えば、ユーザは、インタフェースが表示されるように要求するために遠隔制御のような入力デバイスを使用することができる。また、インタフェース１０８を表示させるために他のデバイスを使用することもできる。例えば、ユーザは、インタフェース１０８内のコンテンツの表示を要求するために、セットトップボックス１０４−６のための入力デバイスを使用することができる。セットトップボックス１０４−６は、次に、ライブラリ１１０内のメタデータを使用してインタフェース１０８を表示させることができる。この場合、ライブラリ１０２を有するデバイスは、セットトップボックス１０４−６を通じてインタフェース１０８を表示させることができ、又は表示デバイスに直接に通信することができる。
【００２８】
段階６０４は、次に、メタデータを使用してインタフェース１０８に対するコンテンツを判断することができる。例えば、入力は、写真の部類を要求することができるなど、どのコンテンツが望ましいかを示すことができる。
【００２９】
段階６０６は、インタフェース１０８内のコンテンツを表示させる。上述のように、表示は、どこにコンテンツが記憶されているは不可知であるとすることができる。
【００３０】
処理は、異なるタイプのインタフェース１０８を表示するために異なる入力を受信すると継続することができる。
【００３１】
インタフェース１０８上に表示されるコンテンツは、たとえコンテンツがデバイス１０４上でアクセス可能でない場合でも表示することができる。例えば、デバイス１０４−１の電源が切られた場合、ユーザは、引き続きそのデバイス上に記憶されたコンテンツを見ることができる。これは、コンテンツに対する情報を表示するためにライブラリ１１０に記憶されたメタデータを使用することができるからである。これは、インタフェースが表示されている時にある一定のデバイスがアクセス可能でない場合に有用である。例えば、デバイスは、ネットワーク上でアクセス可能でないか、又は電源を切っている場合がある。しかし、インタフェース１０８を使用して、ユーザは、コンテンツを見ることができると考えられる。アクセスが望ましい場合、デバイス１０４は、電源が切られたデバイスの電源を入れ、かつ電源が切られたデバイスの電源が入った場合にコンテンツを提供することができることを示すことができる。
【００３２】
特定的な実施形態は、ユーザが新しいかつ価値ある方法で彼らのコンテンツと対話することを可能にする。例えば、ユーザは、セットトップボックスのようなデバイスを使用して、セットトップボックス、ゲーム機、パーソナルコンピュータ、及びネットワークサービス上に位置するビデオライブラリを閲覧することができる。感動的なインタフェースに全てのビデオを示すインタフェースを表示することができる。ユーザは、ビデオがどこに位置するかは関心がなく、次に、ビデオにそれがセットトップボックスからテレビジョン上で見られる場合にアクセスすることができる。
【００３３】
ユーザはまた、様々な位置に記憶された音楽作品を見ることができる。ユーザは、過去に音楽作品を購入しており、ユーザは、ゲーム機を使用してそれを聴きたい場合がある。しかし、ユーザは、その音楽トラックがどこに記憶されたかを知らない場合がある。それは、例えば、パーソナルコンピュータ、音楽プレーヤ、オンラインサービス、又は他のデバイス上であると考えられる。しかし、ユーザは、ライブラリ１１０を使用してインタフェース１０８を表示し、様々なデバイス１０４上で見出される全ての音楽を通して検索することができる。ユーザは、その音楽がどこに位置するかは関心がなく、かつその音楽をインタフェース１０８に簡単に見出すことができる。ユーザは、次に、ゲーム機上でその音楽を聴くことができる。
【００３４】
写真の場合、家族全員で行楽に出掛けることがある。各家族メンバの各々は、自分のパーソナルコンピュータ上に彼らの個人的写真を有することができる。これらの写真に対するメタデータは、ライブラリ１１０に集約することができる。各ユーザは、次に、インタフェース１０８内で互いに写真を見ることができる。これは、各家族メンバのための別々のコンピュータ上で各写真を個々に見るよりも都合がよい。
【００３５】
他の用途も提供することができる。例えば、多数のデバイス上に記憶された音楽から再生リストを作成することができる。再生リストは、次に、インタフェース１０８に表示することができ、かつどこに記憶されているかに関係なくどの音楽を再生することができるかを示すことができる。
【００３６】
特定的な実施形態に関連して説明したが、これらの特定的な実施形態は、単に例示にすぎず、制限ではない。例えば、どのコンテンツもデバイスに又はネットワークサービス上に記憶することができる。
【００３７】
特定的な実施形態のルーチンを実施するために、Ｃ、Ｃ＋＋、Ｊａｖａ、アセンブリ言語などを含むあらゆる適切なプログラミング言語を使用することができる。手続き型又はオブジェクト指向のような異なるプログラミング技術を利用することができる。ルーチンは、単一の処理デバイス又は多数のプロセッサ上で実行することができる。段階、作動、又は計算は、特定の順序で呈示することができるが、この順序は、異なる特定的な実施形態において変えることができる。一部の特定的な実施形態では、この明細書で順次的なものとして示した多数の段階は、同時に実施することができる。
【００３８】
本発明の実施形態の目的上、「コンピュータ可読媒体」は、命令実行システム、装置、システム、又はデバイスによって又はそれに関連して使用するためのプログラムを収容及び記憶することができるあらゆる媒体とすることができる。コンピュータ可読媒体は、単に一例としてかつ制限ではなく、半導体システム、装置、システム、デバイス、又はコンピュータメモリとすることができる。
【００３９】
特定的な実施形態は、プログラムされた汎用デジタルコンピュータを使用することによって実施することができ、特定用途向け集積回路を使用することにより、プログラマブル論理デバイス、フィールドプログラマブルゲートアレイ、光学、化学、生物学、量子又はナノ工学システム、構成要素、及び機構を使用することができる。一般的に、特定的な実施形態の機能は、当業技術で公知のあらゆる手段によって達成することができる。分散型、ネットワーク型システム、構成要素、及び／又は回路を使用することができる。データの通信又は転送は、有線、無線、又はいずれかの他の手段によるものとすることができる。
【００４０】
図面／図に示す要素の１つ又はそれよりも多くは、より分離された又は一体化された方法で、又は特定用途に従って有用であるようなある一定の場合には更に取り外されるか又は作動不能にされて実施することもできることも認められるであろう。上述の方法のいずれかをコンピュータに実施させるために機械読取可能媒体に記憶することができるプログラム又はコードを実施することも本発明の精神及び範囲内である。
【００４１】
本明細書の説明及び以下に続く特許請求の範囲で使用される時の「ａ」、「ａｎ」、及び「ｔｈｅ」は、特に断らない限り、複数の参照を含む。また、本明細書の説明及び以下に続く特許請求の範囲で使用される時の「ｉｎ」の意味は、特に断らない限り、「ｉｎ」及び「ｏｎ」を含む。
【００４２】
すなわち、本明細書で特定的な実施形態を説明したが、修正、様々な変更、及び置換の自由が、以上の開示において意図されており、一部の事例では、説明する範囲及び精神から逸脱することなく、特定の実施形態の一部の特徴は、他の特徴の対応する使用なしに利用されることになることは認められるであろう。従って、特定の状況又は内容を基本的範囲及び精神に適応させるために、多くの修正を行うことができる。
【符号の説明】
【００４３】
１００  別のシステム
１０４  デバイス
１０８  統合インタフェース
１１０  ライブラリ
１１２  コンテンツ
【図１Ａ】
2012521055.tif 000003
【図１Ｂ】
2012521055.tif 000004
【図２】
2012521055.tif 000005
【図３】
2012521055.tif 000006
【図４】
2012521055.tif 000007
【図５】
2012521055.tif 000008
【図６】
2012521055.tif 000009
【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
インタフェースを提供する方法であって、
複数のデバイス上に記憶されたコンテンツに対するメタデータを受信する段階と、
前記複数のデバイス上に物理的に記憶された前記複数のコンテンツに対する前記メタデータをライブラリに記憶する段階と、
前記メタデータに対するコンテンツが記憶された前記デバイスによって提供されたデバイス及びサービスに関して不可知であるインタフェースに該コンテンツのリストを作成するために使用される該メタデータを表示に利用するためにデバイスに提供する段階と、
前記コンテンツの前記作成されたリストを前記デバイスのインタフェース上に表示する段階と、
を含むことを特徴とする方法。
【請求項２】
前記メタデータは、前記複数のデバイスにおけるデバイスが、電源が切られ、かつ該メタデータに対する前記コンテンツを記憶している時に、前記インタフェースに提供されることを特徴とする請求項１に記載の方法。
【請求項３】
前記コンテンツの少なくとも一部は、前記複数のデバイス上に記憶され、前記リストを表示する前記デバイス上ではないことを特徴とする請求項１に記載の方法。
【請求項４】
受信する段階は、前記メタデータを判断するために前記複数のデバイスの少なくとも１つとメッセージを通信することによって該複数のデバイスから前記コンテンツに対する該メタデータを発見する段階を含むことを特徴とする請求項１に記載の方法。
【請求項５】
前記複数のデバイスのうちの少なくとも２つに記憶されたコンテンツから前記メタデータの一部分を表示する入力を受信する段階と、
前記コンテンツがどこに記憶されたかに関わらず該コンテンツの前記リストを表示する段階と、
を更に含むことを特徴とする請求項１に記載の方法。
【請求項６】
前記コンテンツのタイプに基づいて該コンテンツの前記メタデータに基づく前記リストを表示する段階を更に含むことを特徴とする請求項１に記載の方法。
【請求項７】
前記インタフェースを表示するのに使用されるデバイスが、前記コンテンツのリストにおける該コンテンツの一部分を出力するように構成されないことを特徴とする請求項１に記載の方法。
【請求項８】
前記リストは、前記デバイス上に表示され、このデバイスは、前記コンテンツの少なくとも一部分を記憶している前記デバイスの１つとは異なることを特徴とする請求項１に記載の方法。
【請求項９】
１つ又はそれよりも多くのプロセッサと、
前記１つ又はそれよりも多くのプロセッサによって実行するための１つ又はそれよりも多くのコンピュータ可読媒体に符号化され、かつ実行された時に、
複数のデバイス上に記憶されたコンテンツに対するメタデータを受信し、
前記複数のデバイス上に物理的に記憶された前記複数のコンテンツに対する前記メタデータをライブラリに記憶し、
前記メタデータに対するコンテンツが記憶された前記デバイスによって提供されたデバイス及びサービスに関して不可知であるインタフェースに該コンテンツのリストを作成するために使用される該メタデータを表示に利用するためにデバイスに提供し、かつ
前記コンテンツの前記作成されたリストを前記デバイスのインタフェース上に表示する、
ように作動する論理と、
を含むことを特徴とする装置。
【請求項１０】
前記メタデータは、前記複数のデバイスにおけるデバイスが、電源が切られ、かつ該メタデータに対する前記コンテンツを記憶している時に、前記インタフェースに提供されることを特徴とする請求項９に記載の装置。
【請求項１１】
前記コンテンツの少なくとも一部は、前記複数のデバイス上に記憶され、前記リストを表示する前記デバイス上ではないことを特徴とする請求項９に記載の装置。
【請求項１２】
前記論理は、実行された時に、前記メタデータを判断するために前記複数のデバイスの少なくとも１つとメッセージを通信することによって該複数のデバイスから前記コンテンツに対する該メタデータを発見するように更に作動可能であることを特徴とする請求項９に記載の装置。
【請求項１３】
前記論理は、実行された時に、
前記複数のデバイスのうちの少なくとも２つに記憶されたコンテンツから前記メタデータの一部分を表示する入力を受信し、かつ
前記コンテンツがどこに記憶されているかに関わらず該コンテンツの前記リストを表示する、
ように更に作動可能である、
ことを特徴とする請求項１２に記載の装置。
【請求項１４】
前記論理は、実行された時に、前記コンテンツのタイプに基づいて、該コンテンツの前記メタデータに基づく前記リストを表示するように更に作動可能であることを特徴とする請求項９に記載の装置。
【請求項１５】
前記インタフェースを表示するのに使用されるデバイスは、前記コンテンツのリストにおける該コンテンツの一部分を出力するように構成されないことを特徴とする請求項９に記載の装置。
【国際調査報告】
2012521055.tif 000010
2012521055.tif 000011